(57)【要約】【課題】携帯電話などの通信情報端末において使用する、小さなメモリカードを安全かつ確実に携行することができる、イヤホンマイクを提供する。【解決手段】コードリールを内蔵し、イヤホンマイクコードを巻き取るコードリールボックス１の端面にメモリカード収容部５を形成し、メモリカード収容部５の外表面を覆う帽状のキャップ６を着脱自在に装着する。コードリールボックス１は、本体ボックス1aと本体ボックスの開放端を閉蓋する蓋体1bとで構成し、本体ボックス1aの底部構造を底板よりも周壁を突出させて短筒部８が形成されるようにし、短筒部８にクッション性を有するシート材９を張設し、シート材９を切除することによってメモリカードが嵌まり込む大きさ、形状のメモリカード収容部５を形成する。【選択図】  図１
0003148111.tif 000002
【実用新案登録請求の範囲】
【請求項１】
コードリールを内蔵し、イヤホンマイクコードを巻き取るコードリールボックスの端面にメモリカード収容部を形成し、該メモリカード収容部の外表面を覆う帽状のキャップをコードリールボックスに対して着脱自在に装着することを特徴とするメモリカード収納部付きイヤホンマイク。
【請求項２】
コードリールボックスは、コードリールを収容する有底の本体ボックスと本体ボックス開放端を閉蓋する蓋体とで構成し、前記本体ボックスの底部構造を底板よりも周壁を突出させて短筒部が形成されるようにし、該短筒部にクッション性を有するシート材を張設するとともに、該シート材を切除することによってメモリカードが嵌まり込む大きさ、形状のメモリカード収容部を形成したことを特徴とする請求項１記載のメモリカード収納部付きイヤホンマイク。
【請求項３】
コードリールボックスの本体ボックスは、コードリールを収容する太径部と、該太径部に連続させた有底の細径部とで構成し、細径部の端面にメモリカード収容部を形成し帽状のキャップを細径部に嵌合させるとともに、細径部の外周面に係合突部を、キャップの内周面に前記係合突部が入り込む開放部を備え、回動させることによって係合突部が係合する凹溝を形成したことを特徴とする請求項２記載のメモリカード収納部付きイヤホンマイク。
【考案の詳細な説明】
【技術分野】
【０００１】
本考案は、主として携帯電話などの通信情報端末に装着して使用するイヤホンマイクに関する発明である。
【背景技術】
【０００２】
携帯電話などのイヤホンマイクには、特許文献２や３に開示されているように、携行に便利なようにイヤホンコードをコードリールに巻き取らせる思想が知られている。また、特許文献１に開示されるように、携帯電話では写真や音楽データの保存、その他各種データの使用や保存のためにメモリカードが利用されている。携帯電話では通常、マイクロＳＤカードと称される小さなメモリカードが利用される。
【特許文献１】特開平２０００―３２１６９号公報
【特許文献２】特開平２００１―３４６２８７号公報
【特許文献３】実用新案登録第３１２６０１２号公報
【考案の開示】
【考案が解決しようとする課題】
【０００３】
携帯電話で使用するメモリカードは、常時装着している場合や必要に応じて装着する場合がある。また、写真などの保存するデータ量が大きな場合には予備のメモリカードを携行して使用する場合がある。
非常に小さなメモリカードであるマイクロＳＤカードを携帯電話にセットしない状態で携行する場合は、紛失や破損の可能性があった。
【０００４】
本考案は、上記従来技術の欠点に鑑み、携帯電話などに使用する小さなメモリカードを安全かつ確実に携行することができるように、常時携行するイヤホンマイクに収容できるように工夫したものである。
【課題を解決するための手段】
【０００５】
請求項１記載の、本考案に係るメモリカード収納部付きイヤホンマイクは、イヤホンマイクコード３を巻き取るコードリールを備え、携帯電話などの通信情報端末機器に付属させて携行するものとする。すなわち、本考案に係るイヤホンマイクは、イヤホンマイクコード３を巻き取るコードリール２を内蔵するコードリールボックス１の端面にメモリカード収容部５を形成するとともに、メモリカード収容部５の外表面を覆う帽状のキャップ６をコードリールボックス１に対して着脱自在に装着する。
【０００６】
請求項２記載の考案は、具体的な構造としてコードリールボックス１を、コードリール２を収容する有底の本体ボックス1aと、本体ボックス1aの開放端を閉蓋する蓋体1bとで構成する。そして、本体ボックス1aの底部構造を、底板７よりも周壁を突出させて短筒部８が形成されるようにし、該短筒部８にクッション性を有するシート材９を張設するとともに、張設したシート材９を切除することによってメモリカード４が嵌まり込む大きさ、形状のメモリカード収容部５を形成することである。
【０００７】
請求項３記載の発明は、コードリールボックスのさらなる具体的な構造として、コードリールボックス１の本体ボックス1aは、コードリール２を収容する太径部17と、太径部17に連続させた有底の細径部18とで構成する。そして、細径部18の端面にメモリカード収容部５を形成し、帽状のキャップ６を細径部18に嵌合させる。さらに、細径部18の外周面に係合突部21を、キャップ６の内周面に前記係合突部21が入り込む開放部22を備え、回動させることによって係合突部21が係合する凹溝22を形成する。
【考案の効果】
【０００８】
請求項１記載の考案によれば、コードリールによってイヤホンマイクコードを巻き取り、例えば携帯電話に付属させて携行するイヤホンマイクにメモリカード収容部を形成するため、マイクロＳＤカードのような小さなメモリカードであっても安全に、かつ紛失させることなく確実に携行することができる。
【０００９】
請求項２記載の考案によれば、メモリカード収容部５をコードリールボックスの本体ボックスに容易に形成することができる。そして、メモリカード収容部５は、クッション性を有するシート材９によって形成されるため、衝撃や振動に対してメモリカード４を破損させることなく安全に携行することができる効果がある。
【００１０】
請求項３記載の考案によれば、請求項２記載の考案の効果に加え、メモリカード収容部５を覆う帽状のキャップ６を、着脱が容易であるとともにキャップ６が簡単に脱落しないものとし、メモリカード４を安全に携行することができる効果がある。
【考案を実施するための最良の形態】
【００１１】
以下、本考案に係るメモリカード収納部付きイヤホンマイクの実施形態を、添付の図面に基づいて説明する。
図１はイヤホンマイクコードを巻き取り、キャップを取り外してメモリカード収容部を現した斜視図、図２はキャップを装着し、メモリカード収容部を下位置とした状態の斜視図、図３は図２に示す状態のコードリールボックスの縦断面図、図４は本考案に係るイヤホンマイクの使用状態を示す概略図である。
【００１２】
本考案に係るイヤホンマイクは、図４に示すように、イヤホンマイク10のイヤホンマイクコード３をコードリールボックス１に巻き取ることができるようにするとともに、コードリールボックス１から一定寸法のコネクタコード13を突出させ、先端に取り付けたコネクタ11を携帯電話12に接続することによってイヤホンマイク10の使用を可能とする。図４に示す実施形態では、コネクタコード13と携帯電話12との間に着脱式のストラップ14を取り付け、イヤホンマイクコード３を巻き取った状態で携帯電話12に付属させておくことができるようにしている。
【００１３】
携帯電話などの通信情報端末には、常時もしくは必要に応じてメモリカード４を装着し、写真データや音楽データその他各種データをメモリカードに保存することが行われている。この、メモリカードは通常マイクロＳＤカード、ミニＳＤカードと称される小さなものが利用される。小さなメモリカードは嵩張らず便利であるが、紛失や破損の危険性がある。そこで本考案では、前記したイヤホンマイクコードを巻き取るイヤホンマイクのコードリールボックス１にメモリカード収容部を形成することによって、安全にかつ紛失する虞のない状態で携行するように工夫した。
【００１４】
イヤホンマイクコード３を巻き取るコードリールボックス１は、バネ15と巻き胴16で構成するコードリール２を収容する有底の本体ボックス1aと、本体ボックス1aの開放端を覆う蓋体1bとで構成している。また、本体ボックス1aは、コードリールを収容する太径部17と、太径部17に連続させた有底の細径部18とで構成し、太径部17内にコードリール２の巻き胴16を配置し、開放端に蓋体1bをビス19止めしている。
【００１５】
すなわち、細径部18の底板７に支持杆20を立設し、この支持杆20を中心として回動するとともに、細径部18と太径部17との段部に支受されるように巻き胴16を配置し、巻き胴16が巻き取り方向に付勢されるように支持杆20と巻き胴16の間にバネ15を配置している。さらに、支持杆20に対してコードリールボックスの蓋体1bをビス19止めし、全体としてコンパクトに纏めるように構成している。
【００１６】
コードリールボックス１の本体ボックス1aの細径部18の下端は、周壁を底板７よりも突出させて短筒部８が形成されるようにし、この短筒部８と底板７の空間をメモリカード収容部５として活用する。メモリカード収容部５を形成するには、短筒部８内にポリウレタンフォームのようにクッション性を有するシート材９を張設し、シート材９を切除し図１に示すようにメモリカード４が嵌まり込む大きさ、形状のメモリカード収容部５を形成するようにしている。メモリカード収容部５は、メモリカード４の大きさ、形状と一致する切除部分に加え、指掛かりの切除部分を形成している。
【００１７】
コードリールボックスの本体ボックス1aには、メモリカード収容部５を覆うべくキャップ６を装着する。具体的には、本体ボックス1aの細径部18に、外径が太径部17と一致する帽状のキャップ６を着脱自在に装着し、全体が同一の外径となり、図２に示すように不要な凹凸がなく一体的なデザインとなるように纏めている。キャップ６を装着することによって、メモリカード収容部５が閉塞され、メモリカードの脱落がなくしかもクッション性のシート材によって保護される状態で携行することができる。
【００１８】
キャップ６をコードリールボックス１の細径部18に着脱自在に装着可能とするには、キャップ６が細径部18に遊嵌合する状態に形成するとともに、細径部18の奥端外表面には、太径部から僅かに離れた位置に周方向の係合突部21を形成する。さらに、キャップ６の内周面に前記係合突部２１が入り込む開放部22を備え、回動させることによって係合突部21が入り込む凹溝23を形成する。
【００１９】
コードリールボックスの本体ボックス1aの、細径部18の外表面に形成する係合突部21の具体的形状を図５に示している。細径部18の奥端、すなわち太径部17との段部から寸法Ｘを隔てた位置に周方向の係合突起21を設け、係合突部21の回動方向の一端に隙間である寸法Ｘを閉鎖する如く、軸方向に停止突部21aを設ける。さらに、停止突部21aから一定寸法離れた位置において、係合突部21よりも低い円弧断面の曲面突部21bを形成している。
【００２０】
上記係合突部21に係合するキャップ６の凹溝23を図６に示している。帽状のキャップ６の開放端内周面に、本体ボックス1aの係合突部21が嵌り込む深さの凹溝23を設ける。すなわち、係合突部21の全長よりも広い幅Ｙの開放部22と、キャップ６の開放端から寸法Ｘだけ奥まった位置に、少なくとも前記係合突部21を入れ込むことができる凹溝23を設ける。凹溝23の直前位置に、開放端から寸法Ｘの範囲に円弧断面の曲面突部24を形成している。この曲面突部24は、凹溝23を形成する開放端側の寸法Ｘの肉厚部分の前方に僅かな隙間を隔てて配置されることになる。
【００２１】
上記した係合突部21を備えた細径部18に、凹溝23を備えたキャップ６を装着する場合の動きを図７に示している。すなわち、実線で示すキャップ６を細径部18に挿入すると、二点鎖線で示すように開放部22から、キャップの凹所すなわち薄肉部分に、細径部18に形成した係合突部21が入り込む。その上で、キャップ６を回動させると矢印で示すように係合突部21が凹溝23に嵌まり込む。この際、細径部18の曲面突部21bがキャップ６の曲面突部24を乗り越え、該曲面突部24が細径部18の曲面突部21bと停止突部21aの間に位置し、キャップ６が妄りに回動されるのを阻止する。換言すれば、キャップ６の装着状態が維持され、メモリカードの脱落が防止される。
【００２２】
その他、キャップ６の表面(端面)は、平面的なものであってもよいが、例えば図３に二点鎖線で示すように、一段凹ませてこの段部にキャラクタなどの装飾物25を張り付けるなど、種々の装飾面として活用することもできる。
【図面の簡単な説明】
【００２３】
【図１】図１は、イヤホンマイクコードを巻き取り、キャップを取り外してメモリカード収容部を現した斜視図、
【図２】図２は、キャップを装着しメモリカード収容部を下位置とした状態の斜視図、
【図３】図３は、図２に示す状態のコードリールボックスの縦断面図、
【図４】図４は、本考案に係るイヤホンマイクの使用状態を示す概略図、
【図５】図５は、コードリールボックスの本体ボックスに形成した、係合突部の拡大正面図、
【図６】図６は、キャップの開放端内周面に形成した凹溝部分の部分拡大図、
【図７】図７は本体ボックスの係合突部と、キャップの凹溝の係合状態を示す略図である。
【符号の説明】
【００２４】
１…コードリールボックス、  1a…本体ボックス、  1b…蓋体、  ２…コードリール、  ３…イヤホンマイクコード、  ４…メモリカード、  ５…メモリカード収容部、  ６…キャップ、  ７…底板、  ８…短筒部、  ９…シート材、  10…イヤホンマイク、  11…コネクタ、  12…携帯電話、  13…コネクタコード、  14…ストラップ、  15…バネ、  16…巻き胴、  17…太径部、  18…細径部、  19…ビス、  20…支持杆、  21…係合突部、  21a…停止突部、  21b…曲面突部、  22…開放部、  23…凹溝、  24…曲面突部、  25…装飾物。
【図１】
0003148111.tif 000003
【図２】
0003148111.tif 000004
【図３】
0003148111.tif 000005
【図４】
0003148111.tif 000006
【図５】
0003148111.tif 000007
【図６】
0003148111.tif 000008
【図７】
0003148111.tif 000009